(57)【要約】本願の実施例は、スケジューリングリクエストを伝送する方法及び端末装置に関する。該方法は、目標時刻に、異なる論理チャネルに対応する異なるＳＲ配置に対応する、複数のＰＵＣＣＨリソースが存在することを決定するステップと、該異なる論理チャネルの優先度に応じて、該複数のＰＵＣＣＨリソースのうち目標ＰＵＣＣＨリソースを決定するステップと、該目標時刻に、該目標ＰＵＣＣＨリソースを用いてネットワーク装置にＳＲを送信するステップと、を含む。本願の実施例のスケジューリングリクエストを伝送する方法及び端末装置は、当該任意の時刻に異なる論理チャネルに対応する複数のＰＵＣＣＨリソースの衝突を回避でき、伝送効率を向上させる。【選択図】図１
2020537853.tif 000002
【特許請求の範囲】
【請求項１】
スケジューリングリクエストＳＲを伝送する方法であって、
目標時刻に、異なる論理チャネルに対応する異なるＳＲ配置に対応する、複数の物理上りリンク制御チャネルＰＵＣＣＨリソースが存在することを決定するステップと、
前記異なる論理チャネルの優先度に応じて、前記複数のＰＵＣＣＨリソースのうちから目標ＰＵＣＣＨリソースを決定するステップと、
前記目標時刻に、前記目標ＰＵＣＣＨリソースを用いてネットワーク装置にＳＲを送信するステップと、を含む、
ことを特徴とするスケジューリングリクエストＳＲを伝送する方法。
【請求項２】
前記異なる論理チャネルの優先度に応じて、前記複数のＰＵＣＣＨリソースのうちから目標ＰＵＣＣＨリソースを決定する前記ステップは、
前記異なる論理チャネルのうち優先度の最も高い論理チャネルを目標論理チャネルとして決定するステップと、
前記目標論理チャネルに対応するＳＲ配置を目標ＳＲ配置として決定するステップと、
前記複数のＰＵＣＣＨリソースのうち前記目標ＳＲ配置に対応するＰＵＣＣＨリソースを前記目標ＰＵＣＣＨリソースとして決定するステップと、を含む、
ことを特徴とする請求項１に記載の方法。
【請求項３】
前記異なる論理チャネルのうち優先度の最も高い論理チャネルは、少なくとも２つの論理チャネルであり、
前記異なる論理チャネルのうち優先度の最も高い論理チャネルを目標論理チャネルとして決定する前記ステップは、
前記少なくとも２つの論理チャネルのうちから、前記目標論理チャネルをランダムに決定するステップを含む、
ことを特徴とする請求項２に記載の方法。
【請求項４】
前記ネットワーク装置から送信された無線リソース制御ＲＲＣメッセージを受信するステップと、
前記ＲＲＣメッセージに応じて、前記異なる論理チャネルの優先度を決定するステップと、をさらに含む、
ことを特徴とする請求項１〜３のいずれか一項に記載の方法。
【請求項５】
前記目標ＰＵＣＣＨリソースは、少なくとも２つのＰＵＣＣＨリソースを含む、
ことを特徴とする請求項１〜４のいずれか一項に記載の方法。
【請求項６】
前記目標時刻に、前記目標ＰＵＣＣＨリソースを用いてネットワーク装置にＳＲを送信する前記ステップは、
前記目標時刻に、前記少なくとも２つのＰＵＣＣＨリソースを用いてネットワーク装置に同じＳＲを送信するステップを含む、
ことを特徴とする請求項５に記載の方法。
【請求項７】
前記目標時刻に、前記目標ＰＵＣＣＨリソースを用いてネットワーク装置にＳＲを送信する前記ステップは、
前記少なくとも２つのＰＵＣＣＨリソースのうちから１つのＰＵＣＣＨリソースを決定するステップと、
前記目標時刻に、前記１つのＰＵＣＣＨリソースを用いてネットワーク装置にＳＲを送信するステップと、を含む、
ことを特徴とする請求項５に記載の方法。
【請求項８】
前記少なくとも２つのＰＵＣＣＨリソースのうちから１つのＰＵＣＣＨリソースを決定する前記ステップは、
話す前に聞くＬＢＴ方式を用いて、前記少なくとも２つのＰＵＣＣＨリソースのうちから前記１つのＰＵＣＣＨリソースを決定するステップを含む、
ことを特徴とする請求項７に記載の方法。
【請求項９】
前記複数のＰＵＣＣＨリソースは、異なるＳＲに対応し、
前記目標時刻に、前記目標ＰＵＣＣＨリソースを用いてネットワーク装置にＳＲを送信する前記ステップは、
前記目標時刻に、前記目標ＰＵＣＣＨリソースを用いて前記ネットワーク装置に前記目標ＰＵＣＣＨリソースに対応するＳＲを送信するステップを含む、
ことを特徴とする請求項１〜８のいずれか一項に記載の方法。
【請求項１０】
前記複数のＰＵＣＣＨリソースは、異なるセル及び／または異なる帯域幅部分ＢＷＰに対応する、
ことを特徴とする請求項１〜９のいずれか一項に記載の方法。
【請求項１１】
前記異なる論理チャネルにおける各論理チャネルは、多くとも１つのＳＲ配置に対応する、
ことを特徴とする請求項１〜１０のいずれか一項に記載の方法。
【請求項１２】
端末装置であって、
目標時刻に、異なる論理チャネルに対応する異なるスケジューリングリクエストＳＲ配置に対応する、複数の物理上りリンク制御チャネルＰＵＣＣＨリソースが存在することを決定するために用いられ、
前記異なる論理チャネルの優先度に応じて、前記複数のＰＵＣＣＨリソースのうちから目標ＰＵＣＣＨリソースを決定するためにさらに用いられる決定ユニットと、
前記目標時刻に、前記目標ＰＵＣＣＨリソースを用いてネットワーク装置にＳＲを送信するために用いられる送信ユニットと、を備える、
ことを特徴とする端末装置。
【請求項１３】
前記決定ユニットは、具体的には、
前記異なる論理チャネルのうち優先度の最も高い論理チャネルを目標論理チャネルとして決定し、
前記目標論理チャネルに対応するＳＲ配置を目標ＳＲ配置として決定し、
前記複数のＰＵＣＣＨリソースのうち前記目標ＳＲ配置に対応するＰＵＣＣＨリソースを前記目標ＰＵＣＣＨリソースとして決定するために用いられる、
ことを特徴とする請求項１２に記載の端末装置。
【請求項１４】
前記異なる論理チャネルのうち優先度の最も高い論理チャネルは、少なくとも２つの論理チャネルであり、
前記決定ユニットは、具体的には、前記少なくとも２つの論理チャネルのうちから前記目標論理チャネルをランダムに決定するために用いられる、
ことを特徴とする請求項１３に記載の端末装置。
【請求項１５】
前記ネットワーク装置から送信された無線リソース制御ＲＲＣメッセージを受信するために用いられる受信ユニットをさらに備え、
前記決定ユニットは、前記ＲＲＣメッセージに応じて、前記異なる論理チャネルの優先度を決定するためにさらに用いられる、
ことを特徴とする請求項１２〜１４のいずれか一項に記載の端末装置。
【請求項１６】
前記目標ＰＵＣＣＨリソースは、少なくとも２つのＰＵＣＣＨリソースを含む、
ことを特徴とする請求項１２〜１５のいずれか一項に記載の端末装置。
【請求項１７】
前記送信ユニットは、前記目標時刻に、前記少なくとも２つのＰＵＣＣＨリソースを用いてネットワーク装置に同じＳＲを送信するためにさらに用いられる、
ことを特徴とする請求項１６に記載の端末装置。
【請求項１８】
前記決定ユニットは、前記少なくとも２つのＰＵＣＣＨリソースのうちから１つのＰＵＣＣＨリソースを決定するためにさらに用いられ、
前記送信ユニットは、前記目標時刻に、前記１つのＰＵＣＣＨリソースを用いてネットワーク装置にＳＲを送信するためにさらに用いられる、
ことを特徴とする請求項１６に記載の端末装置。
【請求項１９】
前記決定ユニットは、話す前に聞くＬＢＴ方式を用いて、前記少なくとも２つのＰＵＣＣＨリソースのうちから前記１つのＰＵＣＣＨリソースを決定するためにさらに用いられる、
ことを特徴とする請求項１８に記載の端末装置。
【請求項２０】
前記複数のＰＵＣＣＨリソースは、異なるＳＲに対応し、
前記送信ユニットは、具体的には、前記目標時刻に、前記目標ＰＵＣＣＨリソースを用いて前記ネットワーク装置に前記目標ＰＵＣＣＨリソースに対応するＳＲを送信するために用いられる、
ことを特徴とする請求項１２〜１９のいずれか一項に記載の端末装置。
【請求項２１】
前記複数のＰＵＣＣＨリソースは、異なるセル及び／または異なる帯域幅部分ＢＷＰに対応する、
ことを特徴とする請求項１２〜２０のいずれか一項に記載の端末装置。
【請求項２２】
前記異なる論理チャネルにおける各論理チャネルは、多くとも１つのＳＲ配置に対応する、
ことを特徴とする請求項１２〜２１のいずれか一項に記載の端末装置。
【発明の詳細な説明】
【技術分野】
【０００１】
本願は、通信分野に関し、特に、スケジューリングリクエストを伝送する方法及び端末装置に関する。
【背景技術】
【０００２】
新無線（ｎｅｗ  ｒａｄｉｏ、ＮＲ）システムにおいて、スケジューリングリクエスト（ｓｃｈｅｄｕｌｉｎｇ  ｒｅｑｕｅｓｔ、ＳＲ）配置（ｃｏｎｆｉｇｕｒａｔｉｏｎ）は、一連の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースの集合に対応し、異なるＰＵＣＣＨリソース集合は、異なるオブジェクトに対応し、帯域幅部分（ｂａｎｄｗｉｄｔｈ  ｐａｒｔ、ＢＷＰ）と、セル（ｃｅｌｌ）とを含み、例えば、１つのセル（またはキャリア）上にｎ個のＢＷＰが配置される場合、ＳＲ配置に含まれるＰＵＣＣＨリソース集合の数は、ｎと、ＰＵＣＣＨをサポートするセルの数との積であり得る。同時に、各セル上で各論理チャネルに対して任意の時刻に対応して利用可能なＰＵＣＣＨリソース集合は１つだけであり、これは、物理層において１つのセルに対して同時に１つだけのＢＷＰがアクティブ化されることにも対応する。
【０００３】
また、論理チャネルとＳＲ配置とのマッピング関係は、１つの論理チャネルが０個または多くとも１つのＳＲ配置にマッピングできることである。したがって、対応する異なるＰＵＣＣＨリソースが同一の時点で衝突する異なるＳＲ配置に２つ以上の論理チャネルがマッピングされることもあり得る。
【発明の概要】
【発明が解決しようとする課題】
【０００４】
本願は、ＳＲの伝送衝突を回避できるＳＲを伝送する方法及び端末装置を提供する。
【課題を解決するための手段】
【０００５】
第１の態様によれば、目標時刻に、異なる論理チャネルに対応する異なるＳＲ配置に対応する、複数のＰＵＣＣＨリソースが存在することを決定するステップと、該異なる論理チャネルの優先度に応じて、該複数のＰＵＣＣＨリソースのうちから目標ＰＵＣＣＨリソースを決定するステップと、該目標時刻に、該目標ＰＵＣＣＨリソースを用いてネットワーク装置にＳＲを送信するステップと、を含むＳＲを伝送する方法を提供する。
【０００６】
したがって、本願の実施例のＳＲを伝送する方法は、任意の時刻に、異なる論理チャネルに対応する異なるＳＲ配置に対応する、選択に備える複数のＰＵＣＣＨリソースが存在する場合、端末装置は、該異なる論理チャネルの優先度に応じて、優先度の比較的高い論理チャネルに対応するＳＲ配置を選択し、且つ複数のＰＵＣＣＨリソースのうち該ＳＲ配置に対応するＰＵＣＣＨリソースを用いてネットワーク装置にＳＲを送信でき、該複数のＰＵＣＣＨリソースの衝突を回避し、伝送効率を向上させる。
【０００７】
第１の態様によれば、第１の態様の一実現形態では、該異なる論理チャネルの優先度に応じて、該複数のＰＵＣＣＨリソースのうちから目標ＰＵＣＣＨリソースを決定する該ステップは、該異なる論理チャネルのうち優先度の最も高い論理チャネルを目標論理チャネルとして決定するステップと、該目標論理チャネルに対応するＳＲ配置を目標ＳＲ配置として決定するステップと、該複数のＰＵＣＣＨリソースのうち該目標ＳＲ配置に対応するＰＵＣＣＨリソースを該目標ＰＵＣＣＨリソースとして決定するステップと、を含む。
【０００８】
第１の態様及びその上記実現形態によれば、第１の態様の別の実現形態では、該異なる論理チャネルのうち優先度の最も高い論理チャネルは、少なくとも２つの論理チャネルであり、該異なる論理チャネルのうち優先度の最も高い論理チャネルを目標論理チャネルとして決定する該ステップは、該少なくとも２つの論理チャネルのうちから該目標論理チャネルをランダムに決定するステップを含む。
【０００９】
選択可能なものとして、予め設定された規則に従って、該少なくとも２つの論理チャネルのうちから該目標論理チャネルこともできる。
【００１０】
第１の態様及びその上記実現形態によれば、第１の態様の別の実現形態では、該方法は、該ネットワーク装置から送信された無線リソース制御（Ｒａｄｉｏ  Ｒｅｓｏｕｒｃｅ  Ｃｏｎｔｒｏｌ、ＲＲＣ）メッセージを受信するステップと、該ＲＲＣメッセージに応じて、該異なる論理チャネルの優先度を決定するステップと、をさらに含む。
【００１１】
第１の態様及びその上記実現形態によれば、第１の態様の別の実現形態では、該目標ＰＵＣＣＨリソースは、少なくとも２つのＰＵＣＣＨリソースを含む。
【００１２】
第１の態様及びその上記実現形態によれば、第１の態様の別の実現形態では、該目標時刻に、該目標ＰＵＣＣＨリソースを用いてネットワーク装置にＳＲを送信する該ステップは、該目標時刻に、該少なくとも２つのＰＵＣＣＨリソースを用いてネットワーク装置に同じＳＲを送信するステップを含む。
【００１３】
第１の態様及びその上記実現形態によれば、第１の態様の別の実現形態では、該目標時刻に、該目標ＰＵＣＣＨリソースを用いてネットワーク装置にＳＲを送信する該ステップは、該少なくとも２つのＰＵＣＣＨリソースのうちから１つのＰＵＣＣＨリソースを決定するステップと、該目標時刻に、該１つのＰＵＣＣＨリソースを用いてネットワーク装置にＳＲを送信するステップと、を含む。
【００１４】
第１の態様及びその上記実現形態によれば、第１の態様の別の実現形態では、該少なくとも２つのＰＵＣＣＨリソースのうちから１つのＰＵＣＣＨリソースを決定する該ステップは、話す前に聞くＬＢＴ方式を用いて、該少なくとも２つのＰＵＣＣＨリソースのうちから該１つのＰＵＣＣＨリソースを決定するステップを含む。
【００１５】
第１の態様及びその上記実現形態によれば、第１の態様の別の実現形態では、該複数のＰＵＣＣＨリソースは、異なるＳＲに対応し、該目標時刻に、該目標ＰＵＣＣＨリソースを用いてネットワーク装置にＳＲを送信する該ステップは、該目標時刻に、該目標ＰＵＣＣＨリソースを用いて該ネットワーク装置に該目標ＰＵＣＣＨリソースに対応するＳＲを送信するステップを含む。
【００１６】
第１の態様及びその上記実現形態によれば、第１の態様の別の実現形態では、該複数のＰＵＣＣＨリソースは、異なるセル及び／または異なる帯域幅部分ＢＷＰに対応する。
【００１７】
第１の態様及びその上記実現形態によれば、第１の態様の別の実現形態では、該異なる論理チャネルにおける各論理チャネルは、多くとも１つのＳＲ配置に対応する。
【００１８】
第１の態様及びその上記実現形態によれば、第１の態様の別の実現形態では、該異なるＳＲ配置における各ＳＲ配置は、少なくとも１つのＰＵＣＣＨリソース集合を含み、該少なくとも１つのＰＵＣＣＨリソース集合における各ＰＵＣＣＨリソース集合は配置周期を有するＰＵＣＣＨリソースであり、該各ＰＵＣＣＨリソース集合は予め設定されたＢＷＰ上に位置する。
【００１９】
したがって、本願の実施例のＳＲを伝送する方法は、任意の時刻に、異なる論理チャネルに対応する異なるＳＲ配置に対応する、選択に備える複数のＰＵＣＣＨリソースが存在する場合、端末装置は、該異なる論理チャネルの優先度に応じて、優先度の比較的高い論理チャネルに対応するＳＲ配置を選択し、且つ複数のＰＵＣＣＨリソースのうち該ＳＲ配置に対応するＰＵＣＣＨリソースを用いてネットワーク装置にＳＲを送信でき、該複数のＰＵＣＣＨリソースの衝突を回避し、伝送効率を向上させる。
【００２０】
第２の態様によれば、上記第１の態様または第１の態様の任意の可能な実現形態における方法を実行するために用いられる端末装置を提供する。具体的には、該端末装置は、上記第１の態様または第１の態様の任意の可能な実現形態における方法を実行するために用いられるユニットを含む。
【００２１】
第３の態様によれば、命令を記憶するために用いられる記憶ユニットと、該記憶ユニットに記憶された命令を実行するために用いられるプロセッサと、を含む端末装置を提供し、該プロセッサが該メモリに記憶された命令実行するとき、該実行によって該プロセッサは第１の態様または第１の態様の任意の可能な実現形態における方法を実行する。
【００２２】
第４の態様によれば、第１の態様または第１の態様の任意の可能な実現形態における方法を実行するための命令を含むコンピュータプログラムを記憶するために用いられるコンピュータ可読媒体を提供する。
【００２３】
第５の態様によれば、命令を含むコンピュータプログラム製品を提供し、コンピュータが前記コンピュータプログラム製品の前記命令を実行すると、前記コンピュータが上記第１の態様または第１の態様の任意の可能な実現形態におけるＳＲを伝送する方法を実行する。具体的には、該コンピュータプログラム製品は上記第３の態様の端末装置で実行され得る。
【図面の簡単な説明】
【００２４】
【図１】本願の実施例によるＳＲを伝送する方法の概略フローチャートである。
【図２】本願の実施例による端末装置の概略ブロック図である。
【図３】本願の実施例による端末装置の別の概略ブロック図である。
【発明を実施するための形態】
【００２５】
以下、図面を参照しながら本願の実施例における技術案を説明する。
【００２６】
本願の実施例の技術案は、例えば、グローバル移動通信（ｇｌｏｂａｌ  ｓｙｓｔｅｍ  ｏｆ  ｍｏｂｉｌｅ  ｃｏｍｍｕｎｉｃａｔｉｏｎ、ＧＳＭＣ）システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）、ロングタームエボリューション（ｌｏｎｇ  ｔｅｒｍ  ｅｖｏｌｕｔｉｏｎ、ＬＴＥ（登録商標））システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、ワイマックス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、将来の第５世代（５ｔｈ  ｇｅｎｅｒａｔｉｏｎ、５Ｇ）システムまたはＮＲなど、様々な通信システムに適用できる。
【００２７】
本願の実施例における端末装置は、ユーザー機器、アクセス端末、ユーザーユニット、加入者ステーション、移動局、モバイルステーション、遠隔局、遠隔端末、移動装置、ユーザー端末、端末、無線通信装置、ユーザーエージェントまたはユーザー装置であってもよい。端末装置は、携帯電話、無線電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）ステーション、携帯情報端末（ｐｅｒｓｏｎａｌ  ｄｉｇｉｔａｌ  ａｓｓｉｓｔａｎｔ、ＰＤＡ）、無線通信機能を有するハンドヘルド装置、計算装置または無線モデムに接続された他の処理装置、車載装置、ウェアラブル装置、将来の５Ｇネットワークにおける端末装置または将来の進化型公衆陸上移動体ネットワーク（ｐｕｂｌｉｃ  ｌａｎｄ  ｍｏｂｉｌｅ  ｎｅｔｗｏｒｋ、ＰＬＭＮ）における端末装置などであってもよいが、本願の実施例はこれらに対して限定するものではない。
【００２８】
本願の実施例におけるネットワーク装置は、端末装置と通信するための装置であってもよく、該ネットワーク装置は、ＧＳＭＣシステムまたはＣＤＭＡにおける基地局（ｂａｓｅ  ｔｒａｎｓｃｅｉｖｅｒ  ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける進化型基地局（ｅｖｏｌｕｔｉｏｎａｌ  ＮｏｄｅＢ、ｅＮＢまたはｅＮｏｄｅＢ）であってもよく、クラウド無線アクセスネットワーク（ｃｌｏｕｄ  ｒａｄｉｏ  ａｃｃｅｓｓ  ｎｅｔｗｏｒｋ、ＣＲＡＮ）シーンにおける無線コントローラであってもよく、または該ネットワーク装置は、中継局、アクセスポイント、車載装置、ウェアラブル装置、及び将来の５Ｇネットワークにおけるネットワーク装置または将来の進化型ＰＬＭＮネットワークにおけるネットワーク装置などであってもよいが、本願の実施例は限定するものではない。
【００２９】
図１は、本願の実施例によるＳＲを伝送する方法１００の概略フローチャートを示し、該方法１００は、端末装置により実行されてもよい。図１に示すように、該方法１００は、目標時刻に、異なる論理チャネルに対応する異なるＳＲ配置に対応する、複数のＰＵＣＣＨリソースが存在することを決定するＳ１１０を含む。
【００３０】
本願の実施例におけるＳＲは、ネットワーク装置に上りリソースを要求するために使用され得る。例えば、端末装置側に送信待ち上りデータがある場合に、ネットワーク装置が該ＳＲに従って該端末装置に上りリソースを割り当てるように、該ＳＲを介してネットワーク装置に上りリソースの割り当てを要求してもよい。
【００３１】
本願の実施例におけるＳＲは、対応するＳＲ配置を有し、任意のＳＲ配置に対して、該ＳＲ配置は、１つのＳＲカウンタ（Ｃｏｕｎｔｅｒ）及びタイマ（Ｔｉｍｅｒ）を維持することができる。ＳＲ  Ｃｏｕｎｔｅｒは、該ＳＲ配置に対応するＳＲの伝送回数を記録するためのものであり、ＳＲ  Ｔｉｍｅｒは、ＳＲの過剰な再送を防止するためのものであり、例えば、該ＳＲ配置に対応して、Ｔｉｍｅｒが作用する時間内に既に１つのＳＲが伝送され、次の周期のＳＲ時刻も到来した場合には、該Ｔｉｍｅｒによって伝送が禁止される。
【００３２】
本願の実施例では、該任意の時刻に、端末装置のメディアアクセス制御（Ｍｅｄｉａ  Ａｃｃｅｓｓ  Ｃｏｎｔｒｏｌ、ＭＡＣ）エンティティにおいて１つまたは複数のＳＲが送信待ち（ｐｅｎｄｉｎｇ）状態にあることがあり得、該ｐｅｎｄｉｎｇ状態は、従来（ｒｅｇｕｌａｒ）のバッファ状態レポート（Ｂｕｆｆｅｒ  Ｓｔａｔｕｓ  Ｒｅｐｏｒｔ、ＢＳＲ）のトリガ条件に従ってＳＲの伝送がトリガされたが、ＳＲの伝送時刻がまだ到来していない場合、ＭＡＣエンティティによってトリガされた該ＳＲがｐｅｎｄｉｎｇ状態にあるようにすることを意味する。
【００３３】
理解されるように、目標時刻に、端末装置ＭＡＣエンティティにおいて選択に備えるＰＵＣＣＨリソースが複数存在し、該複数のＰＵＣＣＨリソースが複数のＳＲに対応し、すなわち該複数のＰＵＣＣＨリソースにおける各ＰＵＣＣＨリソースが１つのＳＲに対応し、ただし、該複数のＰＵＣＣＨのうち少なくとも２つのＰＵＣＣＨリソースが異なるＳＲに対応するか、または、場合によっては、２つ以上のＰＵＣＣＨリソースが同じＳＲに対応し、該目標時刻が任意の時刻であり得る。該複数のＳＲは異なるＳＲ配置を有し、すなわち該複数のＰＵＣＣＨリソースは異なるＳＲ配置に対応するが、当該異なるＳＲ配置は異なる論理チャネルとマッピング関係を有する。ただし、複数のＳＲが異なるＳＲ配置を有することは、該ＳＲにおける各ＳＲが１つのＳＲ配置に対応し、該複数のＳＲのうち同一のＳＲに対応するＳＲが２つ以上存在し得るとともに、異なるＳＲに対応するＳＲが少なくとも２つ存在し、これに対応して、複数のＰＵＣＣＨリソースのうち同一のＳＲ配置に対応するＰＵＣＣＨリソースが複数存在し得るとともに、異なるＳＲ配置に対応するＰＵＣＣＨリソースが少なくとも２つ存在することを含む。
【００３４】
本願の実施例における複数のＰＵＣＣＨリソースは、配置された異なる帯域幅部分にあってもよく、または異なるセルにあってもよく、または異なる帯域幅部分及びセルにあってもよいが、本願の実施例はこれに限定されるものではない。
【００３５】
複数のＰＵＣＣＨリソースは、異なるＳＲ配置に対応し、当該異なるＳＲ配置における各ＳＲ配置が１つまたは複数のＰＵＣＣＨリソース集合を含み、各ＰＵＣＣＨリソース集合は、時間領域及び周波数領域を含む、特定の配置周期を有するＰＵＣＣＨリソースを指すことが理解されるべきである。また、任意の１つのＰＵＣＣＨリソース集合に対して、該ＰＵＣＣＨリソース集合は、配置されたあるＢＷＰ上に位置してもよい。
【００３６】
本願の実施例における該ＳＲ配置は、論理チャネルとマッピング関係を有する。各論理チャネルは、多くとも１つのＳＲ配置にマッピングされ、各ＳＲ配置は、１つまたは複数の論理チャネルにマッピングできる。
【００３７】
該方法１００は、該異なる論理チャネルの優先度に応じて、該複数のＰＵＣＣＨリソースのうちから目標ＰＵＣＣＨリソースを決定するＳ１２０をさらに含む。
【００３８】
本願では、複数のＰＵＣＣＨリソースに対応する異なるＳＲ配置がマッピングされている異なる論理チャネルに対して、該異なる論理チャネルのそれぞれの優先度を決定し、該論理チャネルのそれぞれの優先度に応じて、該複数の異なる論理チャネルのうちから目標論理チャネルを決定し、該目標論理チャネルに対応するＳＲ配置を目標ＳＲ配置として決定し、かつ複数のＰＵＣＣＨリソースのうち該目標ＳＲ配置に対応するＰＵＣＣＨリソースを目標ＰＵＣＣＨリソースとして決定することができる。
【００３９】
選択可能なものとして、端末装置は、該異なる論理チャネルのうちから優先度の最も高い論理チャネルを目標論理チャネルとして決定してもよい。具体的には、該異なる論理チャネルのうち優先度の最も高い論理チャネルが１つ存在する場合、該優先度の最も高い論理チャネルが目標論理チャネルである。該異なる論理チャネルのうち優先度が最も高く、かつ等しい論理チャネルが少なくとも２つ存在する場合、該少なくとも２つの論理チャネルをいずれも目標論理チャネルとして決定してもよい。あるいは、該少なくとも２つの論理チャネルのうちから１つの論理チャネルを目標論理チャネルとしてランダムに選択するかまたは他の規則で選択してもよい。または、該少なくとも２つの論理チャネルに対応する少なくとも１つのＳＲ配置を決定し、かつ該少なくとも１つのＳＲ配置に対応する少なくとも１つのＰＵＣＣＨリソースを決定し、該少なくとも１つのＰＵＣＣＨリソースが複数の異なるＰＵＣＣＨリソースであるとき、該異なるＰＵＣＣＨリソースのうちから目標ＰＵＣＣＨリソースをランダムに選択するかまたは予め設定された規則に従って選択してもよいが、本願の実施例はこれに限定されるものではない。
【００４０】
選択可能なものとして、端末装置は、ネットワーク装置から送信された、端末装置の論理チャネルの優先度を示すためのＲＲＣメッセージを受信でき、端末装置は、該ＲＲＣメッセージに応じて、複数のＰＵＣＣＨリソースに対応する異なるＳＲ配置とマッピングされている異なる論理チャネルの優先度を決定することができる。
【００４１】
該方法１００は、該目標時刻に、該目標ＰＵＣＣＨリソースを用いてネットワーク装置にＳＲを送信するＳ１３０をさらに含む。
【００４２】
具体的には、端末装置は、該目標ＰＵＣＣＨリソースに対応するＳＲを決定し、該目標時刻に、該目標ＰＵＣＣＨリソースを用いてネットワーク装置に該対応するＳＲを送信し、該ＳＲは該目標ＰＵＣＣＨリソースに対応する目標ＳＲ配置を有し、該目標ＳＲ配置は目標論理チャネルに対応する。
【００４３】
選択可能なものとして、端末装置により決定された該目標ＰＵＣＣＨリソースは、１つのＰＵＣＣＨリソースだけを含むことも、少なくとも２つのＰＵＣＣＨリソースを含むこともできる。該ＰＵＣＣＨリソースが１つのＰＵＣＣＨリソースである場合、端末装置は、該目標時刻に、該１つの目標ＰＵＣＣＨリソースを用いてネットワーク装置に該対応するＳＲを送信する。該ＰＵＣＣＨリソースが少なくとも２つのＰＵＣＣＨリソースを含む場合、端末装置は、該少なくとも２つのＰＵＣＣＨリソースを用いて同じＳＲを送信でき、あるいは、端末装置は、該少なくとも２つのＰＵＣＣＨリソースのうちから１つのＰＵＣＣＨを決定してＳＲを送信する。
【００４４】
具体的には、該ＰＵＣＣＨリソースが少なくとも２つのＰＵＣＣＨリソースを含む場合、端末装置は、該少なくとも２つのＰＵＣＣＨリソースを用いて同じＳＲを送信してもよく、あるいは、該少なくとも２つのＰＵＣＣＨリソースのうちから１つまたは複数のＰＵＣＣＨリソースをランダムに選択するかまたは一定の規則に従って選択して該ＳＲを送信してもよいが、本願の実施例はこれに限定されるものではない。
【００４５】
選択可能なものとして、該ＰＵＣＣＨリソースが少なくとも２つのＰＵＣＣＨリソースを含む場合、端末装置は、該少なくとも２つのＰＵＣＣＨリソースのうちから話す前に聞く（Ｌｉｓｔｅｎ  Ｂｅｆｏｒｅ  Ｔａｌｋ、ＬＢＴ）の方式によって１つまたは複数のリソースを選択してＳＲを送信できる。具体的には、端末装置は、免許不要の周波数帯で、ＰＵＣＣＨリソースに対してＬＢＴを実行し、該ＬＢＴ結果に基づいて、目標ＰＵＣＣＨリソースに含まれた少なくとも２つのＰＵＣＣＨリソースのうちから占有されていない１つのＰＵＣＣＨリソースを選択し、該１つのＰＵＣＣＨリソースを用いてＳＲを送信し、あるいは、ＬＢＴ結果に基づいて、目標ＰＵＣＣＨリソースに含まれた少なくとも２つのＰＵＣＣＨリソースのうちから占有されていない複数のＰＵＣＣＨリソースを選択して同じＳＲを送信するが、本願の実施例はこれに限定されるものではない。
【００４６】
したがって、本願の実施例のＳＲを伝送する方法は、任意の時刻に、異なる論理チャネルに対応する異なるＳＲ配置に対応する、選択に備える複数のＰＵＣＣＨリソースが存在する場合、端末装置は、該異なる論理チャネルの優先度に応じて、優先度の比較的高い論理チャネルに対応するＳＲ配置を選択し、かつ複数のＰＵＣＣＨリソースのうち該ＳＲ配置に対応するＰＵＣＣＨリソースを用いてネットワーク装置にＳＲを送信でき、該複数のＰＵＣＣＨリソースの衝突を回避し、伝送効率を向上させる。
【００４７】
本願の各実施例では、上記各プロセスの番号は実行順序の先後を意味するものではなく、各プロセスの実行順序はその機能及び内部論理で決定され、本願の実施例の実施過程を何ら限定するものではないと理解すべきである。
【００４８】
また、本明細書において用語「及び／または」は、関連対象の関連関係を説明するだけであり、３つの関係の存在可能性を表し、例えば、Ａ及び／またはＢは、Ａが単独に存在し、Ａ及びＢが同時に存在し、Ｂが単独に存在するという３種類を表すことができる。また、本明細書において符号「／」は、一般的に前後の関連対象が「または」関係であることを示す。
【００４９】
以上は図１を参照しながら、本願の実施例によるＳＲを伝送する方法を詳細に説明したが、以下は図２〜図３を参照しながら、本願の実施例による端末装置を説明する。
【００５０】
図２に示すように、本願の実施例による端末装置２００は、決定ユニット２１０と、送信ユニット２２０とを備え、選択可能なものとして、該端末装置２００は、受信ユニット２３０をさらに備えることができる。
【００５１】
具体的には、該決定ユニット２１０は、目標時刻に、異なる論理チャネルに対応する異なるＳＲ配置に対応する、複数のＰＵＣＣＨリソースが存在することを決定するために用いられ、該決定ユニット２１０は、該異なる論理チャネルの優先度に応じて、該複数のＰＵＣＣＨリソースのうちから目標ＰＵＣＣＨリソースを決定するためにさらに用いられ、該送信ユニット２２０は、該目標時刻に、該目標ＰＵＣＣＨリソースを用いてネットワーク装置にＳＲを送信するために用いられる。
【００５２】
したがって、本願の実施例の端末装置は、任意の時刻に、異なる論理チャネルに対応する異なるＳＲ配置に対応する、選択に備える複数のＰＵＣＣＨリソースが存在する場合、端末装置は、該異なる論理チャネルの優先度に応じて、優先度の比較的高い論理チャネルに対応するＳＲ配置を選択し、かつ複数のＰＵＣＣＨリソースのうち該ＳＲ配置に対応するＰＵＣＣＨリソースを用いてネットワーク装置にＳＲを送信でき、該複数のＰＵＣＣＨリソースの衝突を回避し、伝送効率を向上させる。
【００５３】
選択可能なものとして、該決定ユニット２１０は、具体的には、該異なる論理チャネルのうち優先度の最も高い論理チャネルを目標論理チャネルとして決定し、該目標論理チャネルに対応するＳＲ配置を目標ＳＲ配置として決定し、該複数のＰＵＣＣＨリソースのうち該目標ＳＲ配置に対応するＰＵＣＣＨリソースを該目標ＰＵＣＣＨリソースとして決定するために用いられる。
【００５４】
選択可能なものとして、該異なる論理チャネルのうち優先度の最も高い論理チャネルは、少なくとも２つの論理チャネルであり、該決定ユニット２１０は、具体的には、該少なくとも２つの論理チャネルのうち、該目標論理チャネルをランダムに決定するために用いられる。
【００５５】
選択可能なものとして、受信ユニット２３０は、該ネットワーク装置から送信されたＲＲＣメッセージを受信するために用いられ、該決定ユニット２１０は、該ＲＲＣメッセージに応じて、該異なる論理チャネルの優先度を決定するためにさらに用いられる。
【００５６】
選択可能なものとして、該複数のＰＵＣＣＨリソースは、異なるＳＲに対応し、該送信ユニット２２０は、具体的には、該目標時刻に、該目標ＰＵＣＣＨリソースを用いて該ネットワーク装置に該目標ＰＵＣＣＨリソースに対応するＳＲを送信するために用いられる。
【００５７】
選択可能なものとして、該複数のＰＵＣＣＨリソースは、異なるセル及び／または異なる帯域幅部分ＢＷＰに対応する。
【００５８】
選択可能なものとして、該異なる論理チャネルにおける各論理チャネルは、多くとも１つのＳＲ配置に対応する。
【００５９】
本願の実施例による端末装置２００は本願の実施例における方法１００を対応して実行でき、且つ端末装置２００における各ユニットの上記及び他の操作及び／または機能はそれぞれ図１における各方法の端末装置の対応するフローを実現するために用いられると理解すべきであり、簡潔化のために、ここでは説明を省略する。
【００６０】
したがって、本願の実施例の端末装置は、任意の時刻に、異なる論理チャネルに対応する異なるＳＲ配置に対応する、選択に備える複数のＰＵＣＣＨリソースが存在する場合、端末装置は、該異なる論理チャネルの優先度に応じて、優先度の比較的高い論理チャネルに対応するＳＲ配置を選択し、且つ複数のＰＵＣＣＨリソースのうち該ＳＲ配置に対応するＰＵＣＣＨリソースを用いてネットワーク装置にＳＲを送信でき、該複数のＰＵＣＣＨリソースの衝突を回避し、伝送効率を向上させる。
【００６１】
図３は、本願の実施例による端末装置３００の概略ブロック図を示し、図３に示すように、該端末装置３００は、プロセッサ３１０と、トランシーバ３２０とを備え、プロセッサ３１０とトランシーバ３２０とが接続され、選択可能なものとして、該端末装置３００は、メモリ３３０をさらに備え、メモリ３３０はプロセッサ３１０と接続される。ただし、プロセッサ３１０、メモリ３３０及びトランシーバ３２０の間は、内部接続通路を介して相互に通信し、データ信号を伝達及び／または制御し、該メモリ３３０は、命令を記憶するために用いられてもよく、該プロセッサ３１０は、トランシーバ３２０が情報または信号を送信するように制御するように、該メモリ３３０に記憶された命令を実行するために用いられ、該プロセッサ３１０は、目標時刻に、異なる論理チャネルに対応する異なるＳＲ配置に対応する、複数のＰＵＣＣＨリソースが存在することを決定し、該異なる論理チャネルの優先度に応じて、該複数のＰＵＣＣＨリソースのうちから目標ＰＵＣＣＨリソースを決定するために用いられ、該トランシーバ３２０は、該目標時刻に、該目標ＰＵＣＣＨリソースを用いてネットワーク装置にＳＲを送信するために用いられる。
【００６２】
したがって、本願の実施例の端末装置は、任意の時刻に、異なる論理チャネルに対応する異なるＳＲ配置に対応する、選択に備える複数のＰＵＣＣＨリソースが存在する場合、端末装置は、該異なる論理チャネルの優先度に応じて、優先度の比較的高い論理チャネルに対応するＳＲ配置を選択し、且つ複数のＰＵＣＣＨリソースのうち該ＳＲ配置に対応するＰＵＣＣＨリソースを用いてネットワーク装置にＳＲを送信でき、該複数のＰＵＣＣＨリソースの衝突を回避し、伝送効率を向上させる。
【００６３】
選択可能なものとして、１つの実施例として、該プロセッサ３１０は、該異なる論理チャネルのうち優先度の最も高い論理チャネルを目標論理チャネルとして決定し、該目標論理チャネルに対応する目標ＳＲ配置を決定し、該複数のＰＵＣＣＨリソースのうち該目標ＳＲ配置に対応するＰＵＣＣＨリソースを該目標ＰＵＣＣＨリソースとして決定するために用いられる。
【００６４】
選択可能なものとして、１つの実施例として、該異なる論理チャネルのうち優先度の最も高い論理チャネルは、少なくとも２つの論理チャネルであり、該プロセッサ３１０は、該少なくとも２つの論理チャネルのうちから、該目標論理チャネルをランダムに決定するために用いられる。
【００６５】
選択可能なものとして、１つの実施例として、該トランシーバ３２０は、該ネットワーク装置から送信されたＲＲＣメッセージを受信するために用いられ、該プロセッサ３１０は、該ＲＲＣメッセージに応じて、該異なる論理チャネルの優先度を決定するために用いられる。
【００６６】
選択可能なものとして、１つの実施例として、該複数のＰＵＣＣＨリソースは、異なるＳＲに対応し、該トランシーバ３２０は、該目標時刻に、該目標ＰＵＣＣＨリソースを用いて該ネットワーク装置に該目標ＰＵＣＣＨリソースに対応するＳＲを送信するために用いられる。
【００６７】
選択可能なものとして、１つの実施例として、該複数のＰＵＣＣＨリソースは、異なるセル及び／または異なる帯域幅部分ＢＷＰに対応する。
【００６８】
選択可能なものとして、１つの実施例として、該異なる論理チャネルにおける各論理チャネルは、多くとも１つのＳＲ配置に対応する。
【００６９】
本願の実施例による端末装置３００は本願の実施例における端末装置２００に対応でき、本願の実施例による方法１００を実行する対応する本体に対応でき、且つ端末装置３００における各ユニットの上記及び他の操作及び／または機能はそれぞれ図１における各方法の端末装置の対応するフローを実現するために用いられると理解すべきであり、簡潔化のために、ここでは説明を省略する。
【００７０】
したがって、本願の実施例の端末装置は、任意の時刻に、異なる論理チャネルに対応する異なるＳＲ配置に対応する、選択に備える複数のＰＵＣＣＨリソースが存在する場合、端末装置は、該異なる論理チャネルの優先度に応じて、優先度の比較的高い論理チャネルに対応するＳＲ配置を選択し、且つ複数のＰＵＣＣＨリソースのうち該ＳＲ配置に対応するＰＵＣＣＨリソースを用いてネットワーク装置にＳＲを送信でき、該複数のＰＵＣＣＨリソースの衝突を回避し、伝送効率を向上させる。
【００７１】
なお、本願の上記方法実施例はプロセッサに適用でき、またはプロセッサにより実現できる。プロセッサは信号の処理能力を有する集積回路チップであり得る。実現過程において、上記方法実施例の各ステップはプロセッサにおけるハードウェアの集積論理回路またはソフトウェア形態の命令により完了することができる。上記プロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラム可能ゲートアレイ（ｆｉｅｌｄ  ｐｒｏｇｒａｍｍａｂｌｅ  ｇａｔｅ  ａｒｒａｙ、ＦＰＧＡ）または他のプログラム可能論理デバイス、ディスクリートゲートまたはトランジスタ論理デバイス、ディスクリートハードウェアコンポーネントであってもよい。本願の実施例に開示された各方法、ステップ及び論理ブロック図を実現または実行できる。汎用プロセッサはマイクロプロセッサであってもよく、または該プロセッサは任意の従来のプロセッサなどであってもよい。本願の実施例に関連して開示された方法のステップは、ハードウェアデコーディングプロセッサの実行により直接完了し、またはデコーディングプロセッサにおけるハードウェア及びソフトウェアモジュールの組み合わせの実行により完了できる。ソフトウェアモジュールは、ランダムメモリ、フラッシュメモリ、読み出し専用メモリ、プログラマブル読み出し専用メモリまたは電気的に消去可能なプログラマブル読み出し専用メモリ、レジスタなどの当該技術分野の成熟した記憶媒体に位置することができる。該記憶媒体は、メモリに位置し、プロセッサは、メモリにおける情報を読み取り、そのハードウェアと組み合わせて上記方法のステップを完了する。
【００７２】
本願の実施例におけるメモリは、揮発性メモリまたは不揮発性メモリであってもよく、あるいは揮発性メモリ及び不揮発性メモリの両方を含んでもよいことが理解される。ここで、不揮発性メモリは、読み出し専用メモリ（ｒｅａｄ−ｏｎｌｙ  ｍｅｍｏｒｙ、ＲＯＭ）、プログラマブル読み出し専用メモリ（ｐｒｏｇｒａｍｍａｂｌｅ  ｒｏｍ、ＰＲＯＭ）、消去可能なプログラマブル読み出し専用メモリ（ｅｒａｓａｂｌｅ  ＰＲＯＭ、ＥＰＲＯＭ）、電気的に消去可能なプログラマブル読み出し専用メモリ（ｅｌｅｃｔｒｉｃａｌｌｙ  ＥＰＲＯＭ、ＥＥＰＲＯＭ）またはフラッシュメモリであってもよい。揮発性メモリは、外部キャッシュとして使用されるランダムアクセスメモリ（ｒａｎｄｏｍ  ａｃｃｅｓｓ  ｍｅｍｏｒｙ、ＲＡＭ）であってもよい。限定ではなく、例示として、静的ランダムアクセスメモリ（ｓｔａｔｉｃ  ＲＡＭ、ＳＲＡＭ）、動的ランダムアクセスメモリ（ｄｙｎａｍｉｃ  ＲＡＭ、ＤＲＡＭ）、同期動的ランダムアクセスメモリ（ｓｙｎｃｈｒｏｎｏｕｓ  ＤＲＡＭ、ＳＤＲＡＭ）、データ倍速同期動的ランダムアクセスメモリ（ｄｏｕｂｌｅ  ｄａｔａ  ｒａｔｅ  ＳＤＲＡＭ、ＤＤＲ  ＳＤＲＡＭ）、補強型同期動的ランダムアクセスメモリ（ｅｎｈａｎｃｅｄ  ＳＤＲＡＭ、ＥＳＤＲＡＭ）、同期接続動的ランダムアクセスメモリ（ｓｙｎｃｈｌｉｎｋ  ＤＲＡＭ、ＳＬＤＲＡＭ）及びダイレクトラムバスランダムアクセスメモリ（ｄｉｒｅｃｔ  ｒａｍｂｕｓ  ＲＡＭ、ＤＲ  ＲＡＭ）など、多くの形態のＲＡＭが利用可能である。なお、本明細書に記載されるシステム及び方法のメモリは、これら及び任意の他の適切なタイプのメモリを含むことが意図されるが、これらに限定されない。
【００７３】
当業者が分かるように、本明細書に開示された実施例を参照しながら説明した各例示的ユニット及びアルゴリズムステップが、電子ハードウェア、またはコンピュータソフトウェア及び電子ハードウェアの組み合わせで実現することができる。これらの機能がハードウェアまたはソフトウェアで実行されるかは、技術案の特定のアプリケーション及び設計制約条件に依存する。当業者は各特定のアプリケーションに対して異なる方法を用いて説明された機能を実現することができるが、このような実現は本願の範囲を超えると考えられるべきではない。
【００７４】
当業者に自明なように、説明の利便さ及び簡素化から、上記説明されたシステム、装置及びユニットの具体的な作動過程については、前述の方法例における対応過程を参照すればよいため、ここでは説明を省略する。
【００７５】
本願に係るいくつかの実施例では、開示されたシステム、装置及び方法は、他の形態により実現することもできると理解すべきである。例えば、以上に説明された装置の実施例は例示的なものにすぎない。例えば、前記ユニットの分割は、論理機能上の分割にすぎず、実施する際に別の形態で分割することもでき、例えば、複数のユニットまたはコンポーネントを別のシステムに組み合わせもしくは集積させたり、または一部の特徴を省略するか、実行しなくてもよい。また、示されるまたは記載される相互の結合または直接的な結合または通信接続は、いくつかのインタフェース、装置またはユニットを用いる間接的接続または通信接続であることもでき、電気的、機械的またはその他の形態であることもできる。
【００７６】
前記分離部材として説明されるユニットは、物理的に分離されているものであってもよければ、分離されていないものであってもよい。ユニットとして示される部材は、物理的なユニットであってもよいが、物理的なユニットでなくてもよい。すなわち、同一の場所に設けられるものであってもよいが、複数のネットワークユニットに配置されるものであってもよい。実際の必要に応じて、その一部のユニットだけを選択するか、または全てのユニットを選択して本実施例の解決手段の目的を達成することができる。
【００７７】
また、本願の各実施例において、各機能ユニットが１つの処理ユニットに集積されてもよいが、各ユニットが単独で物理的な部材として存在するか、または２つ以上のユニットが１つのユニットに集積されてもよい。
【００７８】
前記機能がソフトウェア機能ユニットの形態で実現され、かつ独立した製品として販売または使用される場合、コンピュータ可読記憶媒体に記憶されてもよい。このような知見に基づいて、本願の技術案の本質的に、または従来技術に寄与する部分または該技術案の部分はソフトウェア製品の形態で表現することができ、該コンピュータソフトウェア製品は、記憶媒体に記憶されており、１台のコンピュータ機器（パソコン、サーバ、またはネットワーク装置など）に本願の各実施例に記載の方法の全部または一部のステップを実行させるのに用いる若干の命令を含む。前述の記憶媒体は、Ｕディスク、モバイルディスク、読み出し専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスクまたは光ディスクなどのプロクラムコードを記憶可能な種々の媒体を含む。
【００７９】
以上に記載される内容は、本願の具体的な実施形態にすぎず、本願の保護範囲はこれに限定されない。当業者が本願に開示された技術的範囲内で容易に想到し得る変更や置換は、いずれも本願の保護範囲内に含まれる。したがって、本願の保護範囲は、特許請求の範囲に記載の内容に準拠する。
【図１】
2020537853.tif 000003
【図２】
2020537853.tif 000004
【図３】
2020537853.tif 000005
【国際調査報告】
2020537853.tif 000006
2020537853.tif 000007
2020537853.tif 000008
2020537853.tif 000009
2020537853.tif 000010
2020537853.tif 000011